(57)【要約】【課題】回路基板上の配線ピッチよりも太く通信特性が良い安価なケーブルを使用することができ、また製造上においても破損し難いケーブルを使用することが可能なコネクタ装置を提供する。【解決手段】左右方向に所定の配列ピッチ（回路基板上の配線ピッチの２倍の間隔）で並んだ第１基板側コンタクト２０Ａおよび第１ケーブル側コンタクト６０Ａと、これら第１基板側コンタクト２０Ａおよび第１ケーブル側コンタクト６０Ａに対して前記配列ピッチの半分の間隔（前記配線ピッチと同じ間隔）だけ右方にずらした位置に並んだ第２基板側コンタクト２０Ｂおよび第２ケーブル側コンタクト６０Ｂとを有し、第１ケーブルＣ１が第１ケーブル側コンタクト６０Ａに接続され、第２ケーブルＣ２が第２ケーブル側コンタクト６０Ｂに接続される。【選択図】図１３
2019087462.tif 000002
【特許請求の範囲】
【請求項１】
回路基板上に左右方向に並んで形成された複数の接続部にそれぞれ接続される複数の基板側コンタクトと、前記複数の基板側コンタクトを左右方向に並んだ状態で保持する基板側ハウジングとを有する基板側コネクタと、
複数のケーブルにそれぞれ接続される複数のケーブル側コンタクトと、前記複数のケーブル側コンタクトを左右方向に並んだ状態で保持するケーブル側ハウジングとを有するケーブル側コネクタとを備え、
前記基板側コンタクトと前記ケーブル側コンタクトとを接触させることにより前記基板上の前記接続部と前記ケーブルとを電気的に接続させるコネクタ装置において、
前記基板側コンタクトは、前記基板側ハウジングの前後一方側に左右方向に所定の配列ピッチで並設される複数の第１基板側コンタクトと、前記基板側ハウジングの前後他方側において、前記第１基板側コンタクトに対して前記配列ピッチの半分だけ左右方向にずらした位置に、左右方向に前記配列ピッチで並設される複数の第２基板側コンタクトとを有し、
前記ケーブル側コンタクトは、前記ケーブル側ハウジングの前後一方側に左右方向に前記配列ピッチで並設され、前記複数の第１基板側コンタクトとそれぞれ接触する複数の第１ケーブル側コンタクトと、前記ケーブル側ハウジングの前後他方側において、前記第１ケーブル側コンタクトに対して前記配列ピッチの半分だけ左右方向にずらした位置に、左右方向に前記配列ピッチで並設され、前記複数の第２基板側コンタクトとそれぞれ接触する複数の第２ケーブル側コンタクトとを有し、
前記ケーブルは、前記複数の第１ケーブル側コンタクトの第１ケーブル接続部にそれぞれ接続される複数の第１ケーブルと、前記複数の第２ケーブル側コンタクトの第２ケーブル接続部にそれぞれ接続される複数の第２ケーブルとを有し、
前記第１ケーブル接続部と前記第２ケーブル接続部とが上下方向に位置が異なるように配設され、前記第１ケーブル接続部および前記第２ケーブル接続部に接続された前記第１ケーブルおよび前記第２ケーブルが同一方向に延びるように構成されたことを特徴とするコネクタ装置。
【請求項２】
前記複数の第１基板側コンタクトはそれぞれ、前記基板上の前記接続部に接続される第１基板接続部を有し、前記第１基板接続部が前記基板側ハウジングの前後一方側に延出して設けられ、
前記複数の第２基板側コンタクトはそれぞれ、前記基板上の前記接続部に接続される第２基板接続部を有し、前記第２基板接続部が前記基板側ハウジングの前後他方側に延出して設けられたことを特徴とする請求項１に記載のコネクタ装置。
【発明の詳細な説明】
【技術分野】
【０００１】
本発明は、回路基板上に所定の配列方向に並んで形成された複数の接続部と複数のケーブルとを電気的に接続させるコネクタ装置に関する。
【背景技術】
【０００２】
このようなコネクタ装置として、回路基板上の複数の接続部にそれぞれ接続される複数の基板側コンタクトおよび、それらの基板側コンタクトを保持する基板側ハウジングを有する基板側コネクタと、複数のケーブルにそれぞれ接続される複数のケーブル側コンタクトおよび、それらのケーブル側コンタクトを保持するケーブル側ハウジングを有するケーブル側コネクタとを備え、基板側ハウジングとケーブル側ハウジングとを嵌合させて基板側コンタクトとケーブル側コンタクトとを接触させることにより、基板上の複数の接続部と複数のケーブルとをそれぞれ電気的に接続させるコネクタ装置が知られている（例えば、特許文献１を参照）。このようなコネクタ装置では一般的に、コンタクトの配列ピッチが、回路基板に形成される配線（接続部）の間隔（配線ピッチ）に対応するように設定される。近年、回路基板における配線ピッチの狭小化が進んでおり、それに対応するため、各コンタクトの配列ピッチも狭くなる傾向にある。
【先行技術文献】
【特許文献】
【０００３】
【特許文献１】特開２０１７‐１３０３２１号公報
【発明の概要】
【発明が解決しようとする課題】
【０００４】
回路基板上の配線ピッチが狭くなると、それに対応した配列ピッチで並設されたコンタクトに接続されるケーブルは、当該配線ピッチ（配列ピッチ）よりも細い芯線（電線）を有するケーブルを使用する必要がある。例えば、回路基板上に０．５［mm］の配線ピッチで形成され、それに対応して０．５［mm］の配列ピッチでコンタクトが並設された小型のコネクタ装置では、芯線の太さが０．５［mm］以下のケーブルを使用する必要がある。このような極細のケーブルは、コンタクトに半田付けする際に切れ易いなど、製造上において取り扱いが難しかったり、ケーブル自体が高価であるという課題があった。
【０００５】
本発明は、このような課題に鑑みてなされたものであり、回路基板上の配線ピッチよりも太く通信特性が良い安価なケーブルを使用することができ、また製造上においても破損し難いケーブルを使用することが可能なコネクタ装置を提供することを目的とする。
【課題を解決するための手段】
【０００６】
上記目的を達成するため、本発明は、回路基板上に左右方向に並んで形成された複数の接続部にそれぞれ接続される複数の基板側コンタクトと、前記複数の基板側コンタクトを左右方向に並んだ状態で保持する基板側ハウジングとを有する基板側コネクタと、複数のケーブルにそれぞれ接続される複数のケーブル側コンタクトと、前記複数のケーブル側コンタクトを左右方向に並んだ状態で保持するケーブル側ハウジングとを有するケーブル側コネクタとを備え、前記基板側コンタクトと前記ケーブル側コンタクトとを接触させることにより前記基板上の前記接続部と前記ケーブルとを電気的に接続させるコネクタ装置である。その上で、前記基板側コンタクトは、前記基板側ハウジングの前後一方側に左右方向に所定の配列ピッチで並設される複数の第１基板側コンタクトと、前記基板側ハウジングの前後他方側において、前記第１基板側コンタクトに対して前記配列ピッチの半分だけ左右方向にずらした位置に、左右方向に前記配列ピッチで並設される複数の第２基板側コ
ンタクトとを有する。そして、前記ケーブル側コンタクトは、前記ケーブル側ハウジングの前後一方側に左右方向に前記配列ピッチで並設され、前記複数の第１基板側コンタクトとそれぞれ接触する複数の第１ケーブル側コンタクトと、前記ケーブル側ハウジングの前後他方側において、前記第１ケーブル側コンタクトに対して前記配列ピッチの半分だけ左右方向にずらした位置に、左右方向に前記配列ピッチで並設され、前記複数の第２基板側コンタクトとそれぞれ接触する複数の第２ケーブル側コンタクトとを有する。そして、前記ケーブルは、前記複数の第１ケーブル側コンタクトの第１ケーブル接続部にそれぞれ接続される複数の第１ケーブルと、前記複数の第２ケーブル側コンタクトの第２ケーブル接続部にそれぞれ接続される複数の第２ケーブルとを有し、前記第１ケーブル接続部と前記第２ケーブル接続部とが上下方向に位置が異なるように配設され、前記第１ケーブル接続部および前記第２ケーブル接続部に接続された前記第１ケーブルおよび前記第２ケーブルが同一方向に延びるように構成される。
【０００７】
上記構成のコネクタ装置において、前記複数の第１基板側コンタクトはそれぞれ、前記基板上の前記接続部に接続される第１基板接続部を有し、前記第１基板接続部が前記基板側ハウジングの前後一方側に延出して設けられ、前記複数の第２基板側コンタクトはそれぞれ、前記基板上の前記接続部に接続される第２基板接続部を有し、前記第２基板接続部が前記基板側ハウジングの前後他方側に延出して設けられることが好ましい。
【発明の効果】
【０００８】
本発明に係るコネクタ装置によれば、所定の配列ピッチで並設された第１基板側コンタクトおよび第１ケーブル側コンタクトと、これら第１基板側コンタクトおよび第１ケーブル側コンタクトに対して前記配列ピッチの半分だけずらした位置に並設された第２基板側コンタクトおよび第２ケーブル側コンタクトとを有し、第１ケーブルが第１ケーブル側コンタクトに接続され、第２ケーブルが第２ケーブル側コンタクトに接続される構成となっている。すなわち、第１基板側コンタクト、第１ケーブル側コンタクトおよび第１ケーブルと、第２基板側コンタクト、第２ケーブル側コンタクトおよび第２ケーブルとを、前記配列ピッチの半分だけずらした構成になっている。そのため、回路基板上に前記配列ピッチの半分の間隔（配線ピッチ）で形成された配線に、第１基板側コンタクトと第２基板側コンタクトとを交互に接続することができる。第１ケーブル側コンタクトおよび第２ケーブル側コンタクトのそれぞれの配列ピッチを、回路基板上の配線ピッチの２倍の間隔とすることができる。従って、第１ケーブル側コンタクトおよび第２ケーブル側コンタクトにそれぞれ接続されるケーブルとして、回路基板上の配線ピッチの２倍程度までの太さのケーブルを使用することができる。回路基板上の配線ピッチよりも太く通信特性が良い安価なケーブルを使用することができる。回路基板上の配線ピッチよりも太いケーブルを使用することができるため、製造上においてケーブルの破損を低減させることができる。また、コンタクトおよびケーブルを配列方向に一列に並設した従来のコネクタ装置に対して、コネクタ装置の配列方向のサイズ（幅）を略半分の大きさに小型化することができる。
【図面の簡単な説明】
【０００９】
【図１】本発明の一実施形態に係るコネクタ装置を斜め上方から見た斜視図である。
【図２】上記コネクタ装置の平面図である。
【図３】上記コネクタ装置を構成する基板側コネクタを上方から見た斜視図である。
【図４】上記基板側コネクタの平面図である。
【図５】上記基板側コネクタの分解斜視図である。
【図６】上記コネクタ装置を構成するケーブル側コネクタを上方から見た斜視図である。
【図７】上記ケーブル側コネクタを下方から見た斜視図である。
【図８】上記ケーブル側コネクタの分解斜視図である。
【図９】上記ケーブル側コネクタの組み付け手順を説明する斜視図である。
【図１０】図２における矢印X‐Xの部分の断面図である。
【図１１】図２における矢印XI‐XIの部分の断面図である。
【図１２】各コンタクトの接触状態およびケーブルとの接続状態を示す後上方から見た斜視図である。
【図１３】各コンタクトの接触状態およびケーブルとの接続状態を示す前上方から見た斜視図である。
【発明を実施するための形態】
【００１０】
以下、本発明の好ましい実施形態について図面を参照しながら説明する。本発明の一実施形態に係るコネクタ装置１を図１および図２に示している。なお、本実施形態では、説明の便宜上、図１等に示す前後、左右および上下の矢印の方向をそれぞれ前後方向、左右方向および上下方向と称して説明する。また、各図面において、同じ構成のものが多数ある要素については、一部のみに付番している。
【００１１】
コネクタ装置１は、回路基板Ｂ（図４を参照）上に取り付けられる基板側コネクタ１０と、上下２段で左右方向に１５本ずつ並んだ合計３０本のケーブルＣの端部に取り付けられるケーブル側コネクタ５０とを備え、基板側コネクタ１０とケーブル側コネクタ５０とを嵌合させて回路基板Ｂと３０本のケーブルＣとを電気的に接続させるように構成される。本実施形態に係るコネクタ装置１は、図４に示すように、回路基板Ｂ上に０．２［mm］の配線ピッチ（間隔）で形成された配線９１（接続部）に３０本のケーブルＣを電気接続させる小型のコネクタ装置である。
【００１２】
基板側コネクタ１０は、図３〜図５に示すように、回路基板Ｂ上に左右方向に０．２［mm］の配線ピッチで並んで形成された配線９１（図４を参照）にそれぞれ接続される３０個の基板側コンタクト２０と、３０個の基板側コンタクト２０を前後２列で左右方向に１５個ずつ並んだ状態で保持する基板側ハウジング３０とを有して構成される。基板側コンタクト２０は、基板側ハウジング３０の前部側に左右方向（幅方向）に並んで保持される１５個の第１基板側コンタクト２０Ａと、基板側ハウジング３０の後部側に左右方向に並んで保持される１５個の第２基板側コンタクト２０Ｂとを有して構成される。
【００１３】
第１基板側コンタクト２０Ａは、金属等の導電性材料の薄平板にプレス加工（打ち抜き加工および曲げ加工等）を施して、前後方向に水平に延びる接続部２１と、接続部２１の後端から上方に延びる圧入部２２と、圧入部２２の上端から後方に延びる中間部２３と、中間部２３の後端に繋がるＵ字状の接触部２４とが一体に形成されている。接触部２４は、中間部２３の後端に片持ち状に繋がって弾性変形可能になっている。接触部２４の先端部は、接触部２４の弾性変形に応じて前後方向に変位可能になっている。第２基板側コンタクト２０Ｂは、第１基板側コンタクト２０Ａと同一構成（同一形状）のコンタクトであり、第１基板側コンタクト２０Ａを前後逆向きに配置したものである。
【００１４】
基板側ハウジング３０は、合成樹脂等の電気絶縁性材料を用いて一体成形されており、左右方向に延びた横長形状に形成されている。基板側ハウジング３０の前後略中央には、左右方向に延びる中央壁部３５が設けられている。基板側ハウジング３０は、中央壁部３５の前方側に、１５個の第１基板側コンタクト２０Ａをそれぞれ収容保持する１５個の第１コンタクト収容部３１が左右方向に並んで設けられている。第１コンタクト収容部３１は、中央壁部３５の前面から前方に延びる溝状に形成されている。１５個の第１基板側コンタクト２０Ａはそれぞれ、接続部２１が基板側ハウジング３０の前方に延出する向きで第１コンタクト収容部３１内に収容保持される。このように収容保持された１５個の第１基板側コンタクト２０Ａはそれぞれ、左右方向に０．４［mm］の配列ピッチ（上記配線ピッチの２倍の間隔）で並設されるようになっている。換言すると、１５個の第１コンタクト収容部３１は、１５個の第１基板側コンタクト２０Ａをそれぞれ左右方向に０．４［mm
］の配列ピッチ（上記配線ピッチの２倍の間隔）で並んだ状態で保持するように構成されている。
【００１５】
基板側ハウジング３０は、中央壁部３５の後方側に、１５個の第２基板側コンタクト２０Ｂをそれぞれ収容保持する１５個の第２コンタクト収容部３２が左右方向に並んで設けられている。１５個の第２コンタクト収容部３２はそれぞれ、各々の第１コンタクト収容部３１に対して０．２［mm］（上記配列ピッチの半分の間隔、上記配線ピッチと同じ間隔）だけ右方にずらした位置に設けられ、中央壁部３５の後面から後方に延びる溝状に形成されている。１５個の第２基板側コンタクト２０Ｂはそれぞれ、接続部２１が基板側ハウジング３０の後方に延出する向きで第２コンタクト収容部３２内に収容保持される。
【００１６】
このように収容保持された１５個の第２基板側コンタクト２０Ｂはそれぞれ、各々の第１コンタクト収容部３１に収容保持された第１基板側コンタクト２０Ａに対して０．２［mm］（上記配列ピッチの半分の間隔、上記配線ピッチと同じ間隔）だけ右方にずれた位置において、左右方向に０．４［mm］の配列ピッチ（上記配線ピッチの２倍の間隔）で並設されるようになっている。換言すると、１５個の第２コンタクト収容部３２は、１５個の第２基板側コンタクト２０Ｂをそれぞれ、各々の第１基板側コンタクト２０Ａに対して０．２［mm］（上記配線ピッチと同じ間隔）だけ右方にずらした位置において、左右方向に０．４［mm］の配列ピッチ（上記配線ピッチの２倍の間隔）で並んだ状態で保持するように構成されている。
【００１７】
基板側ハウジング３０の左右両側にはそれぞれ固定用金具４０が取り付けられるようになっている。固定用金具４０は、金属平板を用いて一体に形成され、基板側ハウジング３０の左右壁部上端に係止される逆Ｕ字状の係止部４１と、基板側ハウジング３０の前方および後方にそれぞれ延出する接合部４２と、前後の接合部４２の内側において上方に延びる片持ち状の前後一対の係止片４３とを有して構成される。前後の係止片４３の上端部は、係止片４３の弾性変形に応じて前後方向に変位可能になっている。
【００１８】
このように構成される基板側コネクタ１０は、図４に示すように、回路基板Ｂ上に左右方向に０．２［mm］の配線ピッチで並んで形成された配線９１に、１５個の第１基板側コンタクト２０Ａの接続部２１と１５個の第２基板側コンタクト２０Ｂの接続部２１とが半田付けによって接合される。さらに、回路基板Ｂ上に形成された固定および接地用の接合パッド部９２に半田付けによって接合されることにより、基板側コネクタ１０が回路基板Ｂ上に実装される。基板側コネクタ１０では、第１基板側コンタクト２０Ａと第２基板側コンタクト２０Ｂとを交互に見ると、第１基板側コンタクト２０Ａと第２基板側コンタクト２０Ｂとが、左右方向に回路基板Ｂ上の配線ピッチと同じ０．２［mm］の配列ピッチで並設されているようになっている。
【００１９】
ケーブル側コネクタ５０は、図６〜図８に示すように、上下２段で左右方向に１５本ずつ並んだ合計３０本のケーブルＣの端部にそれぞれ接続される３０個のケーブル側コンタクト６０と、３０個のケーブル側コンタクト６０を前後２列で左右方向に１５個ずつ並んだ状態で保持するケーブル側ハウジング７０と、ケーブル側ハウジング７０の上面を覆うように取り付けられるシールド部材８０とを有して構成される。
【００２０】
３０本のケーブルＣはそれぞれ、図８に示すように、複数本の細い金属線を寄り合わせて形成された芯線ａ（信号線）と、電気絶縁材料によって形成されて芯線ａの周囲を覆う内側絶縁体（内側被覆）と、細い金属線を編んで形成されて内側絶縁体の周囲を覆うシールド線ｄ（外部導体）と、電気絶縁材料によって形成されてシールド線ｄの周囲を覆う外側絶縁体ｅ（外被覆）とを有して構成された同軸ケーブルである。ケーブルＣは、左右方向に０．４［mm］の配列ピッチ（上記基板側コンタクト２０の配列ピッチと同じ間隔）で
並んだ１５本の第１ケーブルＣ１と、第１ケーブルＣ１の下方において左右方向に０．４［mm］の配列ピッチで並んだ１５本の第２ケーブルＣ２とを有して構成される。ケーブル側コンタクト６０が接続される側の第１および第２ケーブルＣ１，Ｃ２の端部はそれぞれ、外側絶縁体ｅが除去されてシールド線ｄが露出するようになっており、さらにその先端側においてシールド線ｄおよび内側絶縁体が除去されて芯線ａが露出するようになっている（図８を参照）。
【００２１】
１５本の第１ケーブルＣ１のシールド線ｄが露出している部分には、左右方向に延びる棒状の第１ケーブル保持部材５５が設けられている。第１ケーブル保持部材５５は、左右方向に延びる細長い２枚の金属プレートを有し、それらの金属プレートによってシールド線ｄが露出している部分を上下から挟んだ状態で、２枚の金属プレートおよびシールド線ｄを半田付けして構成される。１５本の第１ケーブルＣ１は、第１ケーブル保持部材５５によって、左右方向に０．４［mm］の配列ピッチ（上記基板側コンタクト２０の配列ピッチと同じ間隔）で並んだ状態で保持される。
【００２２】
１５本の第２ケーブルＣ２のシールド線ｄが露出している部分には、左右方向に延びる棒状の第２ケーブル保持部材５６が設けられている。第２ケーブル保持部材５６は、上記第１ケーブル保持部材５５と同様に構成されている。１５本の第２ケーブルＣ２は、第２ケーブル保持部材５６によって、左右方向に０．４［mm］の配列ピッチ（上記基板側コンタクト２０の配列ピッチと同じ間隔）で並んだ状態で保持される。第２ケーブルＣ２のシールド線ｄが露出している部分は、第１ケーブルＣ１のシールド線ｄが露出している部分よりも前後長さが短くなっており、第１ケーブルＣ１は第２ケーブルＣ２よりも第１ケーブル保持部材５５から前方に長く延出している。なお、第１および第２ケーブルＣ１，Ｃ２の芯線ａが露出している部分の前後長さは略同じ長さである。
【００２３】
ケーブル側コンタクト６０は、ケーブル側ハウジング７０の前部側に左右方向に並んで保持される１５個の第１ケーブル側コンタクト６０Ａと、ケーブル側ハウジング７０の後部側に左右方向に並んで保持される１５個の第２ケーブル側コンタクト６０Ｂとを有して構成される。第１ケーブル側コンタクト６０Ａおよび第２ケーブル側コンタクト６０Ｂはそれぞれ、金属等の導電性材料の薄平板にプレス加工（打ち抜き加工および曲げ加工等）を施して、前後方向に水平に延びる接続部６１Ａ，６１Ｂと、接続部６１Ａ，６１Ｂの後端から下方に延びる中間部６２Ａ，６２Ｂと、中間部６２Ａ，６２Ｂの下端に繋がるＵ字状の接触部６３Ａ，６３Ｂとが一体に形成されている。第１ケーブル側コンタクト６０Ａと第２ケーブル側コンタクト６０Ｂの相違点は、第１ケーブル側コンタクト６０Ａの中間部６２Ａよりも、第２ケーブル側コンタクト６０Ｂの中間部６２Ｂの上下長さが短くなっている。
【００２４】
ケーブル側ハウジング７０は、合成樹脂等の電気絶縁性材料を用いて一体成形されており、左右方向に延びた横長形状に形成されている。ケーブル側ハウジング７０の上面には、左右方向に延びる中央壁部７５が設けられている。ケーブル側ハウジング７０は、中央壁部７５の前方側に、１５個の第１ケーブル側コンタクト６０Ａをそれぞれ収容保持する１５個の第１コンタクト収容部７１が左右方向に並んで設けられている。第１コンタクト収容部７１は、ケーブル側ハウジング７０の上面に前後方向に延びる溝部と、その溝部の後端から下方に延びる孔部とを有して構成される。当該溝部の前端は、ケーブル側ハウジング７０の前側壁の後面まで延びて形成されている。１５個の第１ケーブル側コンタクト６０Ａはそれぞれ、接続部６１Ａが第１コンタクト収容部７１の溝部内に収容されて上方に露出し、中間部６２Ａが第１コンタクト収容部７１の孔部に挿通されて接触部６３Ａが下方に露出した状態で第１コンタクト収容部７１に収容保持される。このとき、ケーブル側ハウジング７０の下面に左右方向に延びて形成された第１嵌合壁７６が、Ｕ字状の接触部６３Ａ内に挿入された状態で保持される（図７を参照）。このように収容保持された１
５個の第１ケーブル側コンタクト６０Ａはそれぞれ、左右方向に０．４［mm］の配列ピッチ（上記配線ピッチの２倍の間隔）で並設されるようになっている。
【００２５】
ケーブル側ハウジング７０は、中央壁部７５の後方側に、１５個の第２ケーブル側コンタクト６０Ｂをそれぞれ収容保持する１５個の第２コンタクト収容部７２が左右方向に並んで設けられている。１５個の第２コンタクト収容部７２はそれぞれ、各々の第１コンタクト収容部７１に対して０．２［mm］（上記配列ピッチの半分の間隔、上記配線ピッチと同じ間隔）だけ右方にずらした位置に設けられている。さらに、１５個の第２コンタクト収容部７２はそれぞれ、各々の第１コンタクト収容部７１よりも下方にずらした位置に設けられている。第２コンタクト収容部７２は、ケーブル側ハウジング７０の上面に前後方向に延びる溝部と、その溝部の前端から下方に延びる孔部とを有して構成される。当該溝部の前端は、中央壁部７５の後面まで延びて形成されている。１５個の第２ケーブル側コンタクト６０Ｂはそれぞれ、接続部６１Ｂが第２コンタクト収容部７２の溝部内に収容されて上方に露出し、中間部６２Ｂが第２コンタクト収容部７２の孔部に挿通されて接触部６３Ｂが下方に露出した状態で第２コンタクト収容部７２に収容保持される。このとき、ケーブル側ハウジング７０の下面に左右方向に延びて形成された第２嵌合壁７７が、Ｕ字状の接触部６３Ｂ内に挿入された状態で保持される（図７を参照）。
【００２６】
このように収容保持された１５個の第２ケーブル側コンタクト６０Ｂはそれぞれ、各々の第１コンタクト収容部７１に収容保持された第１ケーブル側コンタクト６０Ａに対して０．２［mm］（上記配列ピッチの半分の間隔、上記配線ピッチと同じ間隔）だけ右方にずれた位置において、左右方向に０．４［mm］の配列ピッチ（上記配線ピッチの２倍の間隔）で並設されるようになっている。さらに、１５個の第２ケーブル側コンタクト６０Ｂの接続部６１Ｂは、各々の第１コンタクト収容部７１に収容保持された第１ケーブル側コンタクト６０Ａの接続部６１Ａよりも下方にずれた位置に並設され、当該接続部６１Ａ，６１Ｂが上下方向に位置が異なる段状に構成されている。
【００２７】
ケーブル側ハウジング７０の上面には、第２コンタクト収容部７２の後方位置に、左右方向に延びる凹状のケーブル保持部材収容空間７３が設けられている。ケーブル側ハウジング７０の下面の後端部には、左右方向に延びる第１位置決め壁７８が設けられている。第１位置決め壁７８の下面には、前後に延びる凸部７８ａが左右方向に０．４［mm］の配列ピッチ（上記配列ピッチと同じ間隔）で並設されている。基板側コネクタ１０とケーブル側コネクタ５０が嵌合接続されたときに、基板側ハウジング３０に保持された１５個の第２基板側コンタクト２０Ｂのそれぞれの間の上方に凸部７８ａが配置されるようになっている。ケーブル側ハウジング７０の下面の左右にはそれぞれ第２位置決め壁７４が設けられている。ケーブル側ハウジング７０の後面の左右にはそれぞれ係止凸部７９が設けられている。
【００２８】
シールド部材８０は、金属等の導電性材料を用いて平板状に形成されている。シールド部材８０の前端部の左右にはそれぞれ、左右側面視においてＬ字状の係止部８１が設けられている。シールド部材８０の後端部の左右にはそれぞれ、下方に延びる係止片８２が設けられ、係止片８２の下部に前後貫通した係止孔８２ａが形成されている。シールド部材８０の後部には、シールド部材８０の一部をそれぞれ下方に折り曲げて形成された３個のケーブル係止部８３が設けられている。シールド部材８０の下面の左右にはそれぞれ、下方に延びる前後一対の係止アーム部８４が設けられている。
【００２９】
このように構成されるケーブル側コネクタ５０は、図９に示すように、先ず、ケーブル側ハウジング７０のケーブル保持部材収容空間７３内に第２ケーブル保持部材５６が収容され、１５本の第２ケーブルＣ２の芯線ａと、ケーブル側ハウジング７０に収容保持された１５個の第２ケーブル側コンタクト６０Ｂの接続部６１Ｂとがそれぞれ半田付けによっ
て接合される。次に、第２ケーブル保持部材５６上に第１ケーブル保持部材５５を重ねて配置し、１５本の第１ケーブルＣ１の芯線ａと、ケーブル側ハウジング７０に収容保持された１５個の第１ケーブル側コンタクト６０Ａの接続部６１Ａとがそれぞれ半田付けによって接合されるとともに、第１ケーブル保持部材５５と第２ケーブル保持部材５６とが半田付けによって接合される。このとき、合計３０本の第１ケーブルＣ１および第２ケーブルＣ２が同一方向（後方）に延びるようになっている。そして、シールド部材８０の左右の係止部８１をケーブル側ハウジング７０の前端上部に係止させてケーブル側ハウジング７０の上面を覆い、左右の係止片８２の係止孔８２ａにケーブル側ハウジング７０の左右の係止凸部７９を挿入させることにより、シールド部材８０がケーブル側ハウジング７０の上面に取り付けられる。このとき、シールド部材８０の３個のケーブル係止部８３の下端部が第１ケーブル保持部材５５の上面に当接して第１および第２ケーブル保持部材５５，５６を抑えるようになっている。さらに、シールド部材８０の左右の係止アーム部８４がケーブル側ハウジング７０を貫通して下方に突出するようになっている。このようにしてケーブル側コネクタ５０が３０本のケーブルＣの端部に取り付けられる。
【００３０】
基板側コネクタ１０とケーブル側コネクタ５０は、図１０および図１１に示すように互いに嵌合接続される。このとき、ケーブル側ハウジング７０の第１位置決め壁７８の前面を基板側ハウジング３０の後面に当接させることにより、嵌合時の前後方向の位置決めが行われる。また、ケーブル側ハウジング７０の左右の第２位置決め壁７４の側面が基板側コネクタ１０の固定用金具４０の係止部４１の内面に当接させることにより、嵌合時の左右方向の位置決めが行われる。さらに、シールド部材８０の左右の係止アーム部８４，８４が左右の固定用金具４０の係止片４３，４３内に挿入され、係止片４３，４３が弾性変形して係止アーム８４，８４に当接することにより、基板側コネクタ１０とケーブル側コネクタ５０との嵌合状態が保持される。
【００３１】
基板側コネクタ１０とケーブル側コネクタ５０が嵌合接続されると、図１０〜図１３に示すように、ケーブル側コネクタ５０の１５個の第１ケーブル側コンタクト６０Ａの接触部６３Ａがそれぞれ、基板側コネクタ１０の１５個の第１基板側コンタクト２０Ａの接触部２４内に嵌入されて接触し、１５個の第１基板側コンタクト２０Ａの接続部２１が接合された回路基板Ｂ上の配線（接続部）と１５本の第１ケーブルＣ１とがそれぞれ電気的に接続される。さらに、ケーブル側コネクタ５０の１５個の第２ケーブル側コンタクト６０Ｂの接触部６３Ｂがそれぞれ、基板側コネクタ１０の１５個の第２基板側コンタクト２０Ｂの接触部２４内に嵌入されて接触し、１５個の第２基板側コンタクト２０Ｂの接続部２１が接合された回路基板Ｂ上の配線（接続部）と１５本の第２ケーブルＣ２とがそれぞれ電気的に接続される。
【００３２】
本実施形態に係るコネクタ装置１によれば、左右方向に０．４［mm］の配列ピッチ（回路基板Ｂ上の配線ピッチの２倍の間隔）で並んだ第１基板側コンタクト２０Ａおよび第１ケーブル側コンタクト６０Ａと、これら第１基板側コンタクト２０Ａおよび第１ケーブル側コンタクト６０Ａに対して０．２［mm］（上記配列ピッチの半分の間隔、上記配線ピッチと同じ間隔）だけ右方にずらした位置に並んだ第２基板側コンタクト２０Ｂおよび第２ケーブル側コンタクト６０Ｂとを有し、第１ケーブルＣ１が第１ケーブル側コンタクト６０Ａに接続され、第２ケーブルＣ２が第２ケーブル側コンタクト６０Ｂに接続される構成となっている。すなわち、第１基板側コンタクト２０Ａ、第１ケーブル側コンタクト６０Ａおよび第１ケーブルＣ１と、第２基板側コンタクト２０Ｂ、第２ケーブル側コンタクト６０Ｂおよび第２ケーブルＣ２とを、前記配列ピッチの半分だけずらした構成になっている。そのため、回路基板Ｂ上に０．２［mm］の配線ピッチで形成された配線９１に、第１基板側コンタクト２０Ａと第２基板側コンタクト２０Ｂとを交互に接続することができる。そして、第１ケーブル側コンタクト６０Ａおよび第２ケーブル側コンタクト６０Ｂのそれぞれの配列ピッチを、回路基板Ｂ上の配線ピッチの２倍の間隔である０．４［mm］の配
列ピッチとすることができる。従って、第１ケーブル側コンタクト６０Ａおよび第２ケーブル側コンタクト６０Ｂにそれぞれ接続されるケーブルＣとして、回路基板Ｂ上の配線ピッチの２倍（０．４［mm］）程度までの太さのケーブルを使用することができる。回路基板Ｂ上の配線ピッチ（０．２［mm］）よりも太く通信特性が良い安価なケーブルを使用することができる。回路基板Ｂ上の配線ピッチよりも太いケーブルを使用することができるため、製造上においてケーブルの破損を低減させることができる。また、コンタクトおよびケーブルを配列方向に一列に並設した従来のコネクタ装置に対して、コネクタ装置１の配列方向のサイズ（幅）を略半分の大きさに小型化することができる。
【００３３】
これまで本発明の好ましい実施形態について説明したが、本発明の範囲は上述の実施形態に示したものに限定されない。例えば、上述の実施形態において説明した回路基板上の配線ピッチや各コンタクトの配列ピッチは一例であり、適宜変更してもよい。また、上述の実施形態において説明した各コンタクトの個数やケーブルの本数も一例であり、適宜変更してもよい。
【符号の説明】
【００３４】
１    コネクタ装置
１０  基板側コネクタ
２０  基板側コンタクト
２０Ａ  第１基板側コンタクト
２０Ｂ  第２基板側コンタクト
３０  基板側ハウジング
５０  ケーブル側コネクタ
６０  ケーブル側コンタクト
６０Ａ  第１ケーブル側コンタクト
６０Ｂ  第２ケーブル側コンタクト
７０  ケーブル側ハウジング
Ｃ    ケーブル
Ｃ１  第１ケーブル
Ｃ２  第２ケーブル
【図１】
2019087462.tif 000003
【図２】
2019087462.tif 000004
【図３】
2019087462.tif 000005
【図４】
2019087462.tif 000006
【図５】
2019087462.tif 000007
【図６】
2019087462.tif 000008
【図７】
2019087462.tif 000009
【図８】
2019087462.tif 000010
【図９】
2019087462.tif 000011
【図１０】
2019087462.tif 000012
【図１１】
2019087462.tif 000013
【図１２】
2019087462.tif 000014
【図１３】
2019087462.tif 000015